(57)【要約】【課題】視野角の広い反射スクリーン、映像表示装置を提供する。【解決手段】スクリーン１０は、映像源ＬＳから投射された映像光の少なくとも一部を反射して映像を表示する反射スクリーンであって、半透過性の反射スクリーン部（２０，３０）が複数積層されており、複数の半透過性の反射スクリーン部（２０，３０）よりも背面側に、非透過性の反射スクリーン部（４０）がさらに積層されている。この構成により、視野角の広い反射スクリーンとすることができる。【選択図】図２
2020020864.tif 000002
【特許請求の範囲】
【請求項１】
映像源から投射された映像光の少なくとも一部を反射して映像を表示する反射スクリーンであって、
半透過性の反射スクリーン部が少なくとも１層積層されており、
前記半透過性の反射スクリーン部よりも背面側に、非透過性の反射スクリーン部がさらに積層されている反射スクリーン。
【請求項２】
請求項１に記載の反射スクリーンであって、
前記半透過性の反射スクリーン部として、第１スクリーン部と、前記第１スクリーン部よりも背面側に設けられた第２スクリーン部とを備え、
前記非透過性の反射スクリーン部として、前記第１スクリーン部及び前記第２スクリーン部よりも背面側に設けられた第３スクリーン部を備え、
これら前記第１スクリーン部と、前記第２スクリーン部と、前記第３スクリーン部とが一体に積層されており、
前記第１スクリーン部は、
光透過性を有し、第１単位光学形状が同心円状に複数配列された第１サーキュラーフレネルレンズ形状を有する第１光学形状層と、
前記第１単位光学形状の少なくとも一部に形成され、入射する光の一部を反射し、一部を透過する機能を有する第１反射層と、
を備え、
前記第２スクリーン部は、
光透過性を有し、第２単位光学形状が同心円状に複数配列された第２サーキュラーフレネルレンズ形状を有する第２光学形状層と、
前記第２単位光学形状の少なくとも一部に形成され、入射する光の一部を反射し、一部を透過する機能を有する第２反射層と、
を備え、
前記第３スクリーン部は、
第３単位光学形状が同心円状に複数配列された第３サーキュラーフレネルレンズ形状を有する第３光学形状層と、
前記第３単位光学形状の少なくとも一部に形成され、入射する光の一部を反射する第３反射層と、
を備え、
当該反射スクリーンのスクリーン面を平面視した状態において、前記第１サーキュラーフレネルレンズ形状の同心円の中心位置と、前記第２サーキュラーフレネルレンズ形状の同心円の中心位置と、前記第３サーキュラーフレネルレンズ形状の同心円の中心位置とは、それぞれの位置が離間して配置されている反射スクリーン。
【請求項３】
請求項２に記載の反射スクリーンにおいて、
前記第１単位光学形状は、前記第１スクリーン部の表示領域外に位置する第１中心点を中心として同心円状に複数配列されており、
前記第２単位光学形状は、前記第２スクリーン部の表示領域外に位置する第２中心点を中心として同心円状に複数配列されており、
前記第３単位光学形状は、前記第３スクリーン部の表示領域外に位置する第３中心点を中心として同心円状に複数配列されており、
当該反射スクリーンのスクリーン面を平面視した状態において、前記第１中心点と前記第２中心点と前記第３中心点とは、いずれも当該反射スクリーンの中心を基準として同じ側である第１の方向に位置しており、かつ、前記第１の方向に直交して当該スクリーン面に平行な第２の方向で、それぞれの位置が離間して配置されていること、
を特徴とする反射スクリーン。
【請求項４】
請求項２又は請求項３に記載の反射スクリーンにおいて、
前記第１サーキュラーフレネルレンズ形状と、前記第２サーキュラーフレネルレンズ形状と、前記第３サーキュラーフレネルレンズ形状とは、同心円の中心位置が異なる他は、光学的な設計が同じであること、
を特徴とする反射スクリーン。
【請求項５】
請求項２又は請求項３に記載の反射スクリーンにおいて、
前記第１サーキュラーフレネルレンズ形状と、前記第２サーキュラーフレネルレンズ形状と、前記第３サーキュラーフレネルレンズ形状とは、光学的な設計が異なること、
を特徴とする反射スクリーン。
【請求項６】
請求項２から請求項５までのいずれかに記載の反射スクリーンにおいて、
前記非透過性の反射スクリーン部は、背面側に光吸収層を備えること、
を特徴とする反射スクリーン。
【請求項７】
請求項２から請求項６までのいずれかに記載の反射スクリーンにおいて、
前記第１反射層及び前記第２反射層は、誘電体多層膜により形成されていること、
を特徴とする反射スクリーン。
【請求項８】
請求項２から請求項７までのいずれかに記載の反射スクリーンにおいて、
前記第１スクリーン部と前記第２スクリーン部と前記第３スクリーン部との少なくとも一部に、光を拡散する作用を有する光拡散部を備えること、
を特徴とする反射スクリーン。
【請求項９】
請求項１から請求項８までのいずれかに記載の反射スクリーンにおいて、
その厚み方向において前記非透過性の反射スクリーン部よりも映像源側に、反射防止機能、ハードコート機能、帯電防止機能、防汚機能の少なくとも１つの機能を有する層を備えること、
を特徴とする反射スクリーン。
【請求項１０】
請求項１から請求項９までのいずれかに記載の反射スクリーンと、
前記反射スクリーンに映像光を投射する映像源と、
を備える映像表示装置。
【発明の詳細な説明】
【技術分野】
【０００１】
本発明は、反射スクリーン、映像表示装置に関するものである。
【背景技術】
【０００２】
従来、映像源から投射された映像光を反射して表示する反射スクリーンにおいて、サーキュラーフレネルレンズ形状を備える物が知られている（例えば、特許文献１参照）。
また、透明性を有し、背景を透過して観察もかのうな透過型の反射スクリーンにおいても、サーキュラーフレネルレンズ形状を備える物が知られている（例えば、特許文献２参照）。
サーキュラーフレネルレンズ形状を備えることにより、点光源に近い映像源からの映像光の反射方向を適切に制御することが可能となり、視野角の制御が可能である。
【０００３】
しかし、従来の反射スクリーンでは、サーキュラーフレネルレンズ形状を用いても視野角を広げることには限度があり、より広い視野角を実現できる技術が求められていた。
【先行技術文献】
【特許文献】
【０００４】
【特許文献１】特開２０１３−１５２３０５号公報
【特許文献２】特開２０１８−４０８９２号公報
【発明の概要】
【発明が解決しようとする課題】
【０００５】
本発明の課題は、視野角の広い反射スクリーン、映像表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、映像源（ＬＳ）から投射された映像光の少なくとも一部を反射して映像を表示する反射スクリーン（１０）であって、半透過性の反射スクリーン部（２０，３０）が少なくとも１層積層されており、前記半透過性の反射スクリーン部（２０，３０）よりも背面側に、非透過性の反射スクリーン部（４０）がさらに積層されている反射スクリーン（１０）である。
【０００８】
第２の発明は、第１の発明に記載の反射スクリーン（１０）であって、前記半透過性の反射スクリーン部２０，３０）として、第１スクリーン部（２０）と、前記第１スクリーン部（２０）よりも背面側に設けられた第２スクリーン部（３０）とを備え、前記非透過性の反射スクリーン部（４０）として、前記第１スクリーン部（２０）及び前記第２スクリーン部（３０）よりも背面側に設けられた第３スクリーン部（４０）を備え、これら前記第１スクリーン部（２０）と、前記第２スクリーン部（３０）と、前記第３スクリーン部（４０）とが一体に積層されており、前記第１スクリーン部（２０）は、光透過性を有し、第１単位光学形状（２２１）が同心円状に複数配列された第１サーキュラーフレネルレンズ形状を有する第１光学形状層（２２）と、前記第１単位光学形状（２２１）の少なくとも一部に形成され、入射する光の一部を反射し、一部を透過する機能を有する第１反射層（２３）と、を備え、前記第２スクリーン部（３０）は、光透過性を有し、第２単位光学形状（３２１）が同心円状に複数配列された第２サーキュラーフレネルレンズ形状を有する第２光学形状層（３２）と、前記第２単位光学形状（３２１）の少なくとも一部に形成され、入射する光の一部を反射し、一部を透過する機能を有する第２反射層（３３）と、を備え、前記第３スクリーン部（４０）は、第３単位光学形状（４２１）が同心円状に複数配列された第３サーキュラーフレネルレンズ形状を有する第３光学形状層と、前記第３単位光学形状（４２１）の少なくとも一部に形成され、入射する光の一部を反射する第３反射層（４３）と、を備え、当該反射スクリーン（１０）のスクリーン面を平面視した状態において、前記第１サーキュラーフレネルレンズ形状の同心円の中心位置（Ｃ１）と、前記第２サーキュラーフレネルレンズ形状の同心円の中心位置（Ｃ２）と、前記第３サーキュラーフレネルレンズ形状の同心円の中心位置（Ｃ３）とは、それぞれの位置が離間して配置されている反射スクリーン（１０）である。
【０００９】
第３の発明は、第２の発明に記載の反射スクリーン（１０）において、前記第１単位光学形状（２２１）は、前記第１スクリーン部（２０）の表示領域外に位置する第１中心点（Ｃ１）を中心として同心円状に複数配列されており、前記第２単位光学形状（３２１）は、前記第２スクリーン部（３０）の表示領域外に位置する第２中心点（Ｃ２）を中心として同心円状に複数配列されており、前記第３単位光学形状（４２１）は、前記第３スクリーン部（４０）の表示領域外に位置する第３中心点（Ｃ３）を中心として同心円状に複数配列されており、当該反射スクリーン（１０）のスクリーン面を平面視した状態において、前記第１中心点（Ｃ１）と前記第２中心点（Ｃ２）と前記第３中心点（Ｃ３）とは、いずれも当該反射スクリーン（１０）の中心を基準として同じ側である第１の方向（Ｙ方向）に位置しており、かつ、前記第１の方向（Ｙ方向）に直交して当該スクリーン面に平行な第２の方向（Ｘ方向）で、それぞれの位置が離間して配置されていること、を特徴とする反射スクリーン（１０）である。
【００１０】
第４の発明は、第２の発明又は第３の発明に記載の反射スクリーン（１０）において、前記第１サーキュラーフレネルレンズ形状と、前記第２サーキュラーフレネルレンズ形状と、前記第３サーキュラーフレネルレンズ形状とは、同心円の中心位置が異なる他は、光学的な設計が同じであること、を特徴とする反射スクリーン（１０）である。
【００１１】
第５の発明は、第２の発明又は第３の発明に記載の反射スクリーン（１０）において、前記第１サーキュラーフレネルレンズ形状と、前記第２サーキュラーフレネルレンズ形状と、前記第３サーキュラーフレネルレンズ形状とは、光学的な設計が異なること、を特徴とする反射スクリーン（１０）である。
【００１２】
第６の発明は、第２の発明から第５の発明までのいずれかに記載の反射スクリーン（１０）において、前記非透過性の反射スクリーン部（４０）は、背面側に光吸収層を備えること、を特徴とする反射スクリーン（１０）である。
【００１３】
第７の発明は、第２の発明から第６の発明までのいずれかに記載の反射スクリーン（１０）において、前記第１反射層（２３）及び前記第２反射層（３３）は、誘電体多層膜により形成されていること、を特徴とする反射スクリーン（１０）である。
【００１４】
第８の発明は、第２の発明から第７の発明までのいずれかに記載の反射スクリーン（１０）において、前記第１スクリーン部（２０）と前記第２スクリーン部（３０）と前記第３スクリーン部（４０）との少なくとも一部に、光を拡散する作用を有する光拡散部を備えること、を特徴とする反射スクリーン（１０）である。
【００１５】
第９の発明は、第１の発明から第８の発明までのいずれかに記載の反射スクリーン（１０）において、その厚み方向において前記非透過性の反射スクリーン部（４０）よりも映像源（ＬＳ）側に、反射防止機能、ハードコート機能、帯電防止機能、防汚機能の少なくとも１つの機能を有する層を備えること、を特徴とする反射スクリーン（１０）である。
【００１６】
第１０の発明は、第１の発明から第９の発明までのいずれかに記載の反射スクリーン（１０）と、前記反射スクリーン（１０）に映像光を投射する映像源（ＬＳ）と、を備える映像表示装置（１）である。
【発明の効果】
【００１７】
本発明によれば、視野角の広い反射スクリーン、映像表示装置を提供することができる。
【図面の簡単な説明】
【００１８】
【図１】本発明の映像表示装置１の斜視図である。
【図２】映像表示装置１を側面側から見た図である。
【図３】第１実施形態のスクリーン１０の層構成を説明する図である。
【図４】第１実施形態の第１光学形状層２２、第２光学形状層３２、第３光学形状層４２を並べてそれぞれ背面側（−Ｚ側）から見た図である。
【図５】本実施形態のスクリーン１０の画面上下方向（Ｙ方向）における映像光及び外光の様子を説明する図である。
【図６】スクリーン１０により反射される映像光の左右方向（Ｘ方向）における視野角と光量の関係を説明する図である。
【図７】反射層の変形形態を説明する図である。
【発明を実施するための形態】
【００１９】
以下、本発明を実施するための最良の形態について図面等を参照して説明する。
【００２０】
（実施形態）
図１は、本発明の映像表示装置１の斜視図である。
図２は、映像表示装置１を側面側から見た図である。
なお、図１及びを含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
映像表示装置１は、スクリーン１０、映像源ＬＳ等を有している。本実施形態のスクリーン（反射スクリーン）１０は、映像源ＬＳから投影された映像光Ｌを反射して、その映像源側の画面（表示領域）に映像を表示可能である。このスクリーン１０の詳細に関しては、後述する。
【００２１】
ここで、理解を容易にするために、図１及び図２を含め以下に示す各図において、適宜、ＸＹＺ直交座標系を設けて示している。この座標系では、スクリーン１０の画面左右方向（水平方向）をＸ方向、画面上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の厚み方向における映像源側の正面方向に位置する観察者Ｏ１から見て、画面左右方向の右側に向かう方向を＋Ｘ方向、画面上下方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００２２】
映像源ＬＳは、映像光Ｌをスクリーン１０へ投影する映像投射装置（プロジェクタ）である。本実施形態の映像源ＬＳは、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向（Ｘ方向）の中央であって、スクリーン１０の画面よりも鉛直方向下方側（−Ｙ側）に位置している。
映像源ＬＳは、奥行き方向（Ｚ方向）において、スクリーン１０の映像源側（＋Ｚ側）の表面からの距離が従来の汎用プロジェクタに比べて大幅に近い位置から、斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度や、入射角度の変化量（最小値から最大値までの変化量）が大きい。
【００２３】
スクリーン１０は、映像源ＬＳが投射した映像光Ｌの一部を映像源側（＋Ｚ側）に位置する観察者Ｏ１側へ向けて反射して映像を表示する反射スクリーンである。
スクリーン１０の画面（表示領域）は、使用状態において、映像源側（＋Ｚ側）の観察者Ｏ１側から見て長辺方向が画面左右方向に平行な略矩形形状である。
スクリーン１０は、例えば、その画面サイズが対角４０〜１００インチ程度の大きな画面を有しており、画面の横縦比が１６：９である。なお、これに限らず、例えば、４０インチ程度以下の大きさとしてもよく、使用目的や使用環境等に応じて、その大きさや形状は適宜選択できるものとする。
【００２４】
一般的に、スクリーン１０は、樹脂製の薄い層の積層体等であり、それ単独では平面性を維持するだけの十分な剛性を有していない場合が多い。そのため、スクリーン１０は、その背面側等に不図示の接合層を介して不図示の支持板を一体に接合（あるいは部分固定）し、画面の平面性を維持する形態としてもよい。
また、スクリーン１０は、不図示の枠部材等によってその四辺等が支持され、その平面性を維持する形態としてもよい。
【００２５】
図３は、第１実施形態のスクリーン１０の層構成を説明する図である。図３では、スクリーン１０の映像源側（＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
図４は、第１実施形態の第１光学形状層２２、第２光学形状層３２、第３光学形状層４２を並べてそれぞれ背面側（−Ｚ側）から見た図である。理解を容易にするために、図４では、それぞれ、第１光学形状層２２、第２光学形状層３２、第３光学形状層４２のみを示している。
スクリーン１０は、図３に示すように、その映像源側（＋Ｚ側）から順に、第１スクリーン部２０と、第２スクリーン部３０と、第３スクリーン部４０とを備えている。第１スクリーン部２０と第２スクリーン部３０と第３スクリーン部４０とは、厚み方向において積層されて、一体に接合されている。
【００２６】
第１スクリーン部２０と、第２スクリーン部３０と、第３スクリーン部４０とのそれぞれの映像の表示領域は、いずれもスクリーン１０の画面と同じ矩形形状であり、スクリーン１０の正面方向から見て、スクリーン１０の画面（表示領域）に一致している。そして、スクリーン１０の正面方向から見て、第１スクリーン部２０の表示領域の幾何学的中心となる点Ａ１と、第２スクリーン部３０の表示領域の幾何学的中心となる点Ａ２と、第３スクリーン部４０の表示領域の幾何学的中心となる点Ａ３とは、スクリーン１０の画面の幾何学的中心となる点Ａに一致している。
第１スクリーン部２０は、映像光Ｌの一部を反射して映像を表示し、かつ、映像光Ｌの一部を透過する。また、第２スクリーン部３０は、第１スクリーン部２０を透過した映像光Ｌの一部を反射して映像を表示し、かつ、第１スクリーン部２０を透過した映像光Ｌの一部を透過する。さらに、第３スクリーン部４０は、第１スクリーン部２０及び第２スクリーン部３０の双方を透過した映像光Ｌの一部を反射して映像を表示し、反射しきれない残りの光は光吸収層４４によって吸収して、光を背面側へ透過させない。したがって、第１スクリーン部２０が表示する映像と第２スクリーン部３０が表示する映像と第３スクリーン部４０が表示する映像とは同じである。
また、第２スクリーン部３０の結像面は、第１スクリーン部２０の結像面より背面側（−Ｚ側）に位置しており、第３スクリーン部４０の結像面は、第２スクリーン部３０の結像面よりもさらに背面側（−Ｚ側）に位置している。
【００２７】
第１スクリーン部２０は、映像源側（＋Ｚ側）から順に、第１基材層２１、第１光学形状層２２、第１反射層２３を備えた、反透過性の反射スクリーン部である。
また、第２スクリーン部３０は、第１スクリーン部２０よりも背面側（−Ｚ側）に位置し、映像源側から順に、第２光学形状層３２、第２反射層３３、第２樹脂層３４、第２基材層３５を備えた、反透過性の反射スクリーン部である。
さらに、第３スクリーン部４０は、第２スクリーン部３０よりもさらに背面側（−Ｚ側）に位置し、映像源側から順に、第３光学形状層４２、第３反射層４３、光吸収層４４、第３基材層４５を備えた、非透過性の反射スクリーン部である。
ている。
【００２８】
まず、第１スクリーン部２０から説明する。
第１基材層２１は、光透過性を有するシート状の部材である。第１基材層２１は、その背面側（裏面側，−Ｚ側）に、第１光学形状層２２が一体に形成されている。第１基材層２１は、第１光学形状層２２を形成する基材（ベース）となる層である。また、第１基材層２１は、スクリーン１０の映像源側（＋Ｚ側）を保護する機能を有していてもよい。
第１基材層２１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００２９】
第１光学形状層２２は、第１基材層２１の背面側（−Ｚ側）に形成された光透過性を有する層である。第１光学形状層２２の背面側の面には、第１単位光学形状（単位レンズ）２２１が複数配列されて設けられている。
図４に示すように、第１単位光学形状２２１は、真円の一部形状（円弧状）であり、スクリーン１０の画面外（第１スクリーン部２０の表示領域外）に位置する第１中心点Ｃ１を中心として、同心円状に複数配列されている。すなわち、第１光学形状層２２は、背面側の面に、第１中心点Ｃ１をフレネルセンターとする、いわゆるオフセット構造のサーキュラーフレネルレンズ形状を有している。
この第１中心点Ｃ１は、図４に示すように、スクリーン１０の画面（第１スクリーン部２０の表示領域）の画面下方（−Ｙ方向：第１の方向）の表示領域外に位置している。また、第１中心点Ｃ１は、点Ａよりも−Ｘ側にずれた位置に設けられている。
【００３０】
第１単位光学形状２２１は、図３に示すように、スクリーン面に直交する方向（Ｚ方向）に平行であって、第１単位光学形状２２１の配列方向に平行な断面における断面形状が、略三角形形状である。
第１単位光学形状２２１（単位レンズ）は、背面側に凸であり、映像光が入射する第１斜面（レンズ面）２２１ａと、これに対向する第２斜面（非レンズ面）２２１ｂとを有している。１つの第１単位光学形状２２１において、第２斜面２２１ｂは、頂点ｔ１を挟んで第１斜面２２１ａの下側に位置している。
【００３１】
第１斜面２２１ａがスクリーン面に平行な面となす角度は、θ１である。第２斜面２２１ｂがスクリーン面に平行な面となす角度は、θ２である。角度θ１，θ２は、θ２＞θ１という関係を満たしている。
この第１単位光学形状２２１の第１斜面２２１ａ及び第２斜面２２１ｂは、微細かつ不規則な凹凸形状を有する粗面である。この凹凸形状は、微細な凸形状と凹形状とが２次元方向に不規則に配列されて形成されており、凸形状及び凹形状は、その大きさや形状、高さ等は不規則である。
【００３２】
第１単位光学形状２２１の配列ピッチは、Ｐ１であり、第１単位光学形状２２１の高さ（厚み方向における頂点ｔ１から第１単位光学形状２２１間の谷底となる点ｖ１までの寸法）は、ｈ１である。
理解を容易にするために、図３では、第１単位光学形状２２１の配列ピッチＰ１、角度θ１，θ２は、第１単位光学形状２２１の配列方向において一定である例を示している。しかし、本実施形態の第１単位光学形状２２１は、実際には、配列ピッチＰ１は一定であるが、角度θ１が第１単位光学形状２２１の配列方向においてフレネルセンターとなる点Ｃ１から離れるにつれて次第に大きくなっている。
角度θ１，θ２、配列ピッチＰ１等は、映像源ＬＳからの映像光の投射角度（スクリーン１０への映像光の入射角度）や、映像源の画素（ピクセル）の大きさ、スクリーン１０の画面サイズ、各層の屈折率等に応じて、適宜設定してよい。例えば、第１単位光学形状２２１の配列方向に沿って、配列ピッチＰ１が変化し、角度θ１，θ２が変化する形態としてもよい。
【００３３】
第１光学形状層２２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層２２を構成する樹脂として、紫外線硬化型樹脂を例に挙げて説明するが、これに限らず、例えば、電子線硬化型樹脂等の他の電離放射線硬化型樹脂により形成してもよい。
【００３４】
第１反射層２３は、入射した光の一部を反射し、その他を透過する半透過型の反射層であり、いわゆるハーフミラーである。本実施形態の第１反射層２３は、第１単位光学形状２２１上（第１斜面２２１ａ及び第２斜面２２１ｂ上）に形成されている。
前述のように、第１斜面２２１ａ及び第２斜面２２１ｂには、微細かつ不規則な凹凸形状が形成されており、第１反射層２３は、この微細かつ不規則な凹凸形状に追従して形成され、その凹凸形状を維持した状態で成膜されている。そのため、第１反射層２３の第１光学形状層２２側（映像源側）の面及び第１樹脂層２４側（背面側）の面は、微細かつ不規則な凹凸形状を有する粗面となっている。
この第１反射層２３は、入射した光の一部を微細かつ不規則な凹凸形状により拡散して反射し、反射しない他の光を拡散しないで透過する。
【００３５】
第１反射層２３は、屈折率の高い誘電体膜（以下、高屈折率誘電体膜という）と屈折率が低い誘電体膜（以下、低屈折率誘電体膜という）とが交互に複数積層されて形成された誘電体多層膜により形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
【００３６】
この第１反射層２３は、波長域４００〜８００ｎｍの光に対して、その反射率が約５〜４５％、透過率が約５５〜８５％である。
誘電体多層膜により形成された第１反射層２３は、アルミニウム等の金属蒸着膜等により形成された反射層に比べて、高い透明性を有しており、また、光の吸収損失が小さく、高い反射率を実現できる。
【００３７】
本実施形態の第１反射層２３は、ＴｉＯ２（二酸化チタン）等の金属酸化膜により形成された高屈折率誘電体膜と、ＳｉＯ２により形成された低屈折率誘電体膜を複数積層して形成されている。
第１反射層２３は、第１単位光学形状２２１上（第１斜面２２１ａ及び第２斜面２２１ｂ上）に、上述のような誘電体多層膜を蒸着加工する、又はスパッタ加工する等により、所定の厚さで形成される。
なお、第１反射層２３は、これに限らず、例えば、アルミニウム、銀、ニッケル等の光反射性の高い金属を蒸着したり、光反射性の高い金属をスパッタリングしたり、金属箔を転写したりする等により形成してもよい。
【００３８】
次に、第２スクリーン部３０について説明する。
第２光学形状層３２は、第１光学形状層２２及び第１反射層２３の背面側（−Ｚ側）に形成された光透過性を有する層である。
第２光学形状層３２は、図４に示すように、その背面側の面に、真円の一部形状（円弧状）である第２単位光学形状（単位レンズ）３２１がスクリーン１０の画面外（第２スクリーン部３０の表示領域外）に位置する第２中心点Ｃ２を中心として同心円状に複数配列された、オフセット構造のサーキュラーフレネルレンズ形状を有している。
【００３９】
本実施形態では、この第２中心点Ｃ２は、図４に示すように、スクリーン１０の画面（第２スクリーン部３０の表示領域）の画面下方（−Ｙ方向：第１の方向）の表示領域外に位置している。また、第２中心点Ｃ２は、点Ａよりも＋Ｘ側にずれた位置に設けられている。
したがって、第１スクリーン部２０のサーキュラーフレネルレンズ形状と、第２スクリーン部３０のサーキュラーフレネルレンズ形状とは、スクリーン１０の中心である点Ａを通るＹ方向の仮想線を基準として左右方向（Ｘ方向）に第１中心点Ｃ１と第２中心点Ｃ２とをそれぞれ振り分けた形態となっている。
【００４０】
第２単位光学形状３２１は、図３に示すように、スクリーン面に直交する方向（Ｚ方向）に平行であって、第２単位光学形状３２１の配列方向に平行な断面における断面形状が、略三角形形状である。
第２単位光学形状３２１（単位レンズ）は、背面側に凸であり、第１斜面（レンズ面）３２１ａと、第２斜面（非レンズ面）３２１ｂとを有している。
第１斜面３２１ａがスクリーン面に平行な面となす角度は、θ３である。第２斜面３２１ｂがスクリーン面に平行な面となす角度は、θ４である。角度θ３，θ４は、θ４＞θ３という関係を満たしている。
第１斜面３２１ａ及び第２斜面３２１ｂは、第１単位光学形状２２１の第１斜面２２１ａ及び第２斜面２２１ｂと同様に、微細かつ不規則な凹凸形状を有する粗面である。
【００４１】
第２単位光学形状３２１の配列ピッチは、Ｐ２であり、第２単位光学形状３２１の高さ（厚み方向における頂点ｔ２から第２単位光学形状３２１間の谷底となる点ｖ２までの寸法）は、ｈ２である。
理解を容易にするために、図３では、第２単位光学形状３２１の配列ピッチＰ２、角度θ３，θ４は、第２単位光学形状３２１の配列方向において一定である例を示している。しかし、本実施形態の第２単位光学形状３２１は、実際には、配列ピッチＰ２は一定であるが、角度θ３が第２単位光学形状３２１の配列方向においてフレネルセンターとなる第２中心点Ｃ２から離れるにつれて次第に大きくなっている。
【００４２】
角度θ３，θ４、配列ピッチＰ２等は、前述の角度θ１，θ２及び配列ピッチＰ１と同様に、映像源ＬＳからの映像光の投射角度（第２スクリーン部３０への映像光の入射角度）や、映像源の画素（ピクセル）の大きさ、スクリーン１０の画面サイズ、各層の屈折率等に応じて、適宜設定してよい。例えば、第２単位光学形状３２１の配列方向に沿って、配列ピッチＰ２が変化し、角度θ３，θ４が変化する形態としてもよい。
本実施形態では、第１光学形状層２２のサーキュラーフレネルレンズ形状と第２光学形状層３２のサーキュラーフレネルレンズ形状とは、同心円の中心位置が異なる他は、光学的な設計が同じであり、同様の形状である。したがって、第１単位光学形状２２１の配列ピッチＰ１と第２単位光学形状３２１の配列ピッチＰ２とは等しい（Ｐ１＝Ｐ２）。また、各スクリーン部のフレネルセンターとなる点Ｃ１，Ｃ２からの距離ｒが等しい位置の第１単位光学形状２２１及び第２単位光学形状３２１では、θ１＝θ３、θ２＝θ４である。
【００４３】
また、第２光学形状層３２は、第１光学形状層２２の第１単位光学形状２２１間の谷部を埋めるように形成されており、その映像源側（＋Ｚ側）の面に、第１単位光学形状２２１の略逆型となる形状が複数配列されて形成されている。
【００４４】
第２光学形状層３２の屈折率は、第１光学形状層２２の屈折率と等しい、又は、略等しい（等しいとみなせる程度に屈折率差が小さい）ことが望ましい。また、第２光学形状層３２は、第１光学形状層２２と同じ紫外線硬化型樹脂を用いて形成することが好ましいが、異なる材料により形成してもよい。
本実施形態の第２光学形状層３２は、第１光学形状層２２と同じ材料により形成され、その屈折率が第１光学形状層２２の屈折率に等しい。
【００４５】
第２反射層３３は、第１スクリーン部２０の第１反射層２３に相当する層であり、第１反射層２３と同様に、誘電体多層膜により形成されている。
なお、第２反射層３３の反射率は、第１反射層２３の反射率と同等であることが、観察位置（方向）によらずに均一な映像を表示する観点から好ましい。
【００４６】
第２樹脂層３４は、第２光学形状層３２及び第２反射層３３の背面側（−Ｚ側）に設けられた光透過性を有する層である。
第２樹脂層３４は、第２単位光学形状３２１間の谷部を埋めるように形成されており、第２光学形状層３２及び第２反射層３３の背面側（−Ｚ側）の面を平坦としている。したがって、第２樹脂層３４の映像源側（＋Ｚ側）の面は、第２光学形状層３２の第２単位光学形状３２１の略逆型の形状が複数配列されて形成されている。
【００４７】
第２基材層３５は、光透過性の高い樹脂製のシート状の部材により形成される。第２基材層３５は、第２光学形状層３２を形成する基材（ベース）となる層である。第２基材層３５の屈折率は、第２樹脂層３４の屈折率と等しい、又は、略等しい（等しいとみなせる程度に屈折率差が小さい）ことが望ましい。第２基材層３５は、例えば、第１基材層２１と同様の材料を用いて形成されたシート状の部材を用いて形成してもよい。
【００４８】
次に、第３スクリーン部４０について説明する。
第３光学形状層４２は、第２基材層３５の背面側（−Ｚ側）に形成された光透過性を有する層である。
第３光学形状層４２は、図４に示すように、その背面側の面に、真円の一部形状（円弧状）である第３単位光学形状（単位レンズ）４２１がスクリーン１０の画面外（第３スクリーン部４０の表示領域外）に位置する第３中心点Ｃ３を中心として同心円状に複数配列された、オフセット構造のサーキュラーフレネルレンズ形状を有している。
【００４９】
本実施形態では、この第３中心点Ｃ３は、図４に示すように、スクリーン１０の画面（第３スクリーン部４０の表示領域）の画面下方（−Ｙ方向：第１の方向）の表示領域外に位置している。また、この第３中心点Ｃ３は、図４に示すように、スクリーン１０を正面方向（Ｚ方向）から見た場合、第３中心点Ｃ３と点Ａとは、Ｙ方向に平行な同一直線上に位置している。すなわち、第３中心点Ｃ３は、第３スクリーン部４０（スクリーン１０）の左右方向の中央を通るＹ方向に平行な直線上に設けられている。
【００５０】
第３単位光学形状４２１は、図３に示すように、スクリーン面に直交する方向（Ｚ方向）に平行であって、第３単位光学形状４２１の配列方向に平行な断面における断面形状が、略三角形形状である。
第３単位光学形状４２１（単位レンズ）は、背面側に凸であり、第１斜面（レンズ面）４２１ａと、第２斜面（非レンズ面）４２１ｂとを有している。
第１斜面４２１ａがスクリーン面に平行な面となす角度は、θ５である。第２斜面４２１ｂがスクリーン面に平行な面となす角度は、θ６である。角度θ５，θ６は、θ６＞θ５という関係を満たしている。
第１斜面４２１ａ及び第２斜面４２１ｂは、第１単位光学形状２２１の第１斜面２２１ａ及び第２斜面２２１ｂと同様に、微細かつ不規則な凹凸形状を有する粗面である。
【００５１】
第３単位光学形状４２１の配列ピッチは、Ｐ３であり、第３単位光学形状４２１の高さ（厚み方向における頂点ｔ３から第３単位光学形状４２１間の谷底となる点ｖ３までの寸法）は、ｈ３である。
理解を容易にするために、図３では、第３単位光学形状４２１の配列ピッチＰ３、角度θ５，θ６は、第３単位光学形状４２１の配列方向において一定である例を示している。しかし、本実施形態の第３単位光学形状４２１は、実際には、配列ピッチＰ３は一定であるが、角度θ５が第３単位光学形状４２１の配列方向においてフレネルセンターとなる第３中心点Ｃ３から離れるにつれて次第に大きくなっている。
【００５２】
角度θ５，θ６、配列ピッチＰ３等は、前述の角度θ１，θ２及び配列ピッチＰ１と同様に、映像源ＬＳからの映像光の投射角度（第３スクリーン部４０への映像光の入射角度）や、映像源の画素（ピクセル）の大きさ、スクリーン１０の画面サイズ、各層の屈折率等に応じて、適宜設定してよい。例えば、第３単位光学形状４２１の配列方向に沿って、配列ピッチＰ３が変化し、角度θ５，θ６が変化する形態としてもよい。
本実施形態では、第１光学形状層２２のサーキュラーフレネルレンズ形状と第３光学形状層４２のサーキュラーフレネルレンズ形状とは、同心円の中心位置が異なる他は、光学的な設計が同じであり、同様の形状である。したがって、第１単位光学形状２２１の配列ピッチＰ１と第３単位光学形状４２１の配列ピッチＰ３とは等しい（Ｐ１＝Ｐ３）。また、各スクリーン部のフレネルセンターとなる点Ｃ１，Ｃ３からの距離ｒが等しい位置の第１単位光学形状２２１及び第３単位光学形状４２１では、θ１＝θ５、θ２＝θ６である。
【００５３】
第３光学形状層４２の屈折率は、第２樹脂層３４の屈折率及び第２基材層３５の屈折率と等しい、又は、略等しい（等しいとみなせる程度に屈折率差が小さい）ことが望ましい。また、第３光学形状層４２は、第２樹脂層３４と同じ紫外線硬化型樹脂を用いて形成することが好ましいが、異なる材料により形成してもよい。
本実施形態の第３光学形状層４２は、第２樹脂層３４と同じ材料により形成され、その屈折率が第２樹脂層３４の屈折率に等しい。
【００５４】
第３反射層４３は、光を反射する作用を有し、第３単位光学形状４２１上（第１斜面４２１ａ及び第２斜面４２１ｂ上）に形成されている。
第３反射層４３は、アルミニウムや銀、ニッケル等の金属を蒸着する、又は、スパッタリングする等により形成することができる。また、第３反射層４３は、白色系や銀色系の塗料や、白色形や銀色系の顔料やビーズ又は金属の微細な蒸着膜を粉砕した粒子等を含有する紫外線硬化型樹脂や熱硬化型樹脂等により形成してもよい。また、第３反射層４３は、明るい映像を表示するために、その反射率が４０％以上とすることが好ましく、７０％以上とすることがさらに好ましい。この第３反射層４３により、第１斜面４２１ａに入射する光は、反射される。
なお、第３反射層４３の反射率は、第１反射層２３の反射率及び第２反射層３３の反射率と合せる必要はなく、用途に応じて任意に設定するとよい。本実施形態では、第３反射層４３の反射率は、第１反射層２３の反射率及び第２反射層３３の反射率それぞれよりも高い反射率となるように設定した。
本実施形態の第３反射層４３は、第１斜面４２１ａ及び第２斜面４２１ｂを被覆する形態となっており、銀色の顔料を含有する紫外線硬化型樹脂により形成されている。
【００５５】
光吸収層４４は、光を吸収する作用を有する層であり、第３光学形状層４２及び第３反射層４３の背面側（−Ｚ側）に設けられている。この光吸収層４４は、黒色等の暗色系の塗料や、暗色系の顔料や染料、カーボン粒子等を含有する紫外線硬化型樹脂や熱硬化型樹脂等により形成される。
本実施形態の光吸収層４４は、図３に示すように、第３単位光学形状４２１間の谷部分を充填するように形成されているが、これに限らず、例えば、第３基材層４５を形成しない構成であれば、第３単位光学形状４２１単位レンズ１１１及び第３反射層４３の凹凸形状に沿って形成されてもよい。
【００５６】
第３基材層４５は、光吸収層４４を形成する基材（ベース）となる層である。また、第３基材層４５は、スクリーン１０の背面側を保護する機能を有している。
第３基材層４５は、例えば、第１基材層２１や第２基材層３５と同様の材料を用いて形成されたシート状の部材を用いてもよい。
【００５７】
本実施形態のスクリーン１０は、例えば、以下のような製造方法により製造される。
まず、第１基材層２１を用意し、その一方の面に、第１単位光学形状２２１を賦形する成形型に紫外線硬化型樹脂を充填した状態で積層し、紫外線を照射して紫外線硬化型樹脂を硬化させるＵＶ成形法により第１光学形状層２２を形成する。このとき、第１単位光学形状２２１を賦形する成形型の第１斜面２２１ａ及び第２斜面２２１ｂを賦形する面には、微細かつ不規則な凹凸形状が形成されている。この微細かつ不規則な凹凸形状は、成形型の第１斜面２２１ａ及び第２斜面２２１ｂを賦形する面に、めっき処理やエッチング処理、ブラスト処理等を１回以上行うことによって形成できる。
次に、第１単位光学形状２２１の第１斜面２２１ａ及び第２斜面２２１ｂに、誘電体多層膜を蒸着することにより第１反射層２３を形成する。これにより、第１スクリーン部２０が形成される。
【００５８】
第２スクリーン部３０は、前述の第１スクリーン部２０と略同様の製造方法により製造できる。
まず、第２基材層３５を用意し、その一方の面に、第２単位光学形状３２１の逆型を賦形する成形型に紫外線硬化型樹脂を充填した状態で積層し、紫外線を照射して紫外線硬化型樹脂を硬化させるＵＶ成形法により第２樹脂層３４を形成する。このとき、成形型の第１斜面３２１ａ及び第２斜面３２１ｂに対応する面を賦形する面には、前述のようなめっき処理等により、微細かつ不規則な凹凸形状が形成されている。
次に、第２樹脂層３４の第２単位光学形状３２１の逆型の各面（第１斜面３２１ａ及び第２斜面３２１ｂに対応する面）に、誘電体多層膜を蒸着することにより第２反射層３３を形成する。これにより、第２基材層３５、第２樹脂層３４、第２反射層３３が一体に積層された積層部材が形成される。
【００５９】
次に、第１スクリーン部２０と上記積層部材とを紫外線硬化型樹脂により、一体に接合し、第２光学形状層３２を形成する。第１スクリーン部２０の第１反射層２３の上に紫外線硬化型樹脂を塗布して上述の積層部材を積層し、紫外線を照射して紫外線硬化型樹脂を硬化させ、第２光学形状層３２を形成する。これにより、第１スクリーン部２０と積層部材とは一体となる。ここまでの工程で、第１スクリーン部２０と第２スクリーン部３０とが一体に積層された状態となる。
【００６０】
次に、第３基材層４５を用意し、その一方の面に、第３単位光学形状４２１の逆型を賦形する成形型に光吸収層４４とするための紫外線硬化型樹脂を充填した状態で積層し、紫外線を照射して紫外線硬化型樹脂を硬化させるＵＶ成形法により光吸収層４４を形成する。このとき、成形型の第１斜面４２１ａ及び第２斜面４２１ｂに対応する面を賦形する面には、前述のようなめっき処理等により、微細かつ不規則な凹凸形状が形成されている。
次に、光吸収層４４の第３単位光学形状４２１の逆型の各面（第１斜面４２１ａ及び第２斜面４２１ｂに対応する面）に、アルミニウムや銀、ニッケル等の金属を蒸着する、又は、スパッタリングする等により第３反射層４３を形成する。
最後に、第３反射層４３と第２基材層３５との間を、紫外線硬化型樹脂を用いて一体に接合して、第３光学形状層４２を形成する。その後、所定の大きさに裁断する等により、スクリーン１０が完成する。
【００６１】
図５は、本実施形態のスクリーン１０の画面上下方向（Ｙ方向）における映像光及び外光の様子を説明する図である。図５では、点Ａを通り第１単位光学形状２２１及び第２単位光学形状３２１の配列方向（Ｙ方向）及びスクリーンの厚み方向（Ｚ方向）に平行な断面での断面の一部を拡大して示している。また、図５では、スクリーン１０内の各層の界面における屈折率差はないものとして示している。
スクリーン１０の下方に位置する映像源ＬＳから投射された映像光Ｌ１のうち、一部の映像光は、スクリーン１０に入射する際にスクリーン１０の表面で反射し、スクリーン１０の映像源側上方へ向かう。この映像光Ｌ２は、観察者Ｏ１には届かない。
【００６２】
映像光Ｌ１のうち、スクリーン１０に入射した一部の映像光Ｌ３は、第１単位光学形状２２１の第１斜面２２１ａに入射して第１反射層２３によって拡散反射し、観察者Ｏ１側へ出射する。
第１斜面２２１ａに入射した映像光のうち反射しなかった一部の映像光Ｌ４は、第１反射層２３を透過し、スクリーン１０の背面側（−Ｚ側）へ向かう。映像光Ｌ４の一部は、第２単位光学形状３２１の第１斜面３２１ａに入射して第２反射層３３によって拡散反射し、第１反射層２３を透過して観察者Ｏ１側へ出射する。
第１斜面３２１ａに入射した映像光のうち反射しなかった一部の映像光Ｌ５は、第２反射層３３を透過し、スクリーン１０の背面側（−Ｚ側）へ向かう。映像光Ｌ５の一部は、第３単位光学形状４２１の第１斜面４２１ａに入射して第３反射層４３によって拡散反射し、第２反射層３３及び第１反射層２３を透過して観察者Ｏ１側へ出射する。
第１斜面４２１ａに入射した映像光のうち反射しなかった残りの映像光は、光吸収層４４により吸収されて、スクリーン１０の背面側には進むことなく遮光される。
【００６３】
図６は、スクリーン１０により反射される映像光の左右方向（Ｘ方向）における視野角と光量の関係を説明する図である。図６中には、視野角と光量の関係を示すグラフと合せて、第１スクリーン部２０と、第２スクリーン部３０と、第３スクリーン部４０、及び、それらの第１中心点Ｃ１と、第２中心点Ｃ２と、第３中心点Ｃ３とを併記した。
第１スクリーン部２０のフレネルレンズ形状の第１中心点Ｃ１と、第２スクリーン部３０のフレネルレンズ形状の第２中心点Ｃ２とは、第３スクリーン部４０のフレネルレンズ形状の第３中心点Ｃ３を基準に左右（−Ｘ側と＋Ｘ側）に振り分けられて配置されている。したがって、第１スクリーン部２０及び第２スクリーン部３０の視野角による映像光の光量分布は、それぞれ、図６中の分布曲線Ｄ２０及び分布曲線Ｄ３０のように、左右（−Ｘ側と＋Ｘ側）にスクリーン中心からずれた位置にピークを持つ。一方、第３スクリーン部４０のフレネルレンズ形状の第３中心点Ｃ３は、スクリーン１０のＸ方向の中央に配置されているので、図６中の分布曲線Ｄ４０のように、スクリーン中心に対応した位置にピークを持つ。
【００６４】
第１スクリーン部２０と、第２スクリーン部３０と、第３スクリーン部４０とがそれぞれ反射する映像光は、いずれも同じ映像源ＬＳからの映像光であるから、観察者が視認する映像は、これら複数の映像光をまとめて観察することとなる。よって、スクリーン１０全体の映像光の光量分布は、図６中の分布曲線Ｄ１０のように、分布曲線Ｄ２０，Ｄ３０，Ｄ４０を合せたものとなる。したがって、単一のスクリーン部（第１スクリーン部２０、第２スクリーン部３０、第３スクリーン部４０のいずれかのみ）を用いる場合に比べて、視野角が大きな位置における映像光の光量を高めることができ、映像光を鑑賞可能な視野角を飛躍的に拡大することができる。
なお、映像光Ｌ３と映像光Ｌ４と映像光Ｌ５とは、スクリーン１０からの出射位置がずれているが、人間の視覚で識別不可能なずれであるので、二重像等の影響は非常に少ない。
【００６５】
以上説明したように、本実施形態によれば、半透過性の反射スクリーン部を複数積層し、これら複数の半透過性の反射スクリーン部よりも背面側に、非透過性の反射スクリーン部を配置したので、映像光を鑑賞可能な視野角を飛躍的に拡大することができる。
【００６６】
（変形形態）
以上説明した実施形態に限定されることなく、種々の変形や変更が可能であって、それらも本発明の範囲内である。
【００６７】
（１）実施形態において、第１スクリーン部２０と第２スクリーン部３０との２つの半透過性の反射スクリーン部を配置した例を挙げて説明した。これに限らず、例えば、半透過性の反射スクリーン部は、１層であってもよいし、４層の半透過性の反射スクリーン部を配置してもよく、積層する数は、適宜変更可能である。
【００６８】
（２）実施形態において、スクリーン１０全体における視野角に対する光量の分布は、左右方向（Ｘ方向）の中央にピークを持つようにした例を挙げて説明した。これに限らず、例えば、ピーク位置を意図的にずらす構成としてもよい。
【００６９】
（３）実施形態において、第１反射層２３、第２反射層３３、第３反射層４３は、それぞれ、第１単位光学形状２２１、第２単位光学形状３２１、第３単位光学形状４２１の前面に形成されている例を挙げて説明した。これに限らず、例えば、反射層は、各単位光学形状の一部に形成されるように構成してもよい。より具体的には、例えば、反射層は、各単位光学形状の第１斜面のみに形成され、第２斜面には形成しないようにしてもよい。
【００７０】
（４）実施形態において、第１スクリーン部２０と第２スクリーン部３０と第３スクリーン部４０とは、中心の位置がずれている他は光学的な設計が同じサーキュラーフレネルレンズ形状を備えている例を挙げて説明した。これに限らず、例えば、スクリーン部毎にサーキュラーフレネルレンズ形状の光学的な設計を異ならせてもよい。
【００７１】
（５）実施形態において、映像源ＬＳは、例えば、スクリーン１０の斜め下側等に配置され、スクリーン１０に対して画面左右方向において斜め方向光から映像光を投射する形態としてもよい。このような形態とすれば、映像源ＬＳの位置等の自由度が向上する。
【００７２】
（６）実施形態において、具体的な層構成は、一例として挙げたものであり、必要とする機能や製造方法に応じて、他の層を追加したり、一部の層を省略したりしてもよい。例えば、映像源側に、反射防止機能、ハードコート機能、帯電防止機能、防汚機能の少なくとも１つの機能を有する層を備えるようにしてもよい。
【００７３】
（７）実施形態において、第１反射層２３及び第２反射層３３は、誘電体を複数積層した誘電体多層膜によって形成されている例を挙げて説明した。これに限らず、半透過性の反射スクリーン部に形成する反射層は、様々な構成に変更可能である。例えば、半透過性の反射スクリーン部に形成する反射層は、誘電体を用いて単層で構成してもよい。
【００７４】
（８）実施形態において、第１反射層２３及び第２反射層３３は、第１光学形状層２２及び第２光学形状層２３に一様に形成されている例を挙げて説明した。これに限らず、例えば、半透過性の反射スクリーン部に形成する反射層は、部分的に形成して、反射層が占める面積比率で透過光量と反射光量との比率を設定する構成としてもよい。
図７は、反射層の変形形態を説明する図である。図７は、第１光学形状層２２を第１斜面２２１ａ側から見た状態で示している。なお、以下の説明は、第１反射層２３を例にしているが、第２反射層３３についても同様である。
例えば、反射層２３は、図７（ａ）に示すように、第１斜面２２１ａ上において複数の島状に形成してもよい。ここで、複数の島状とは、第１斜面２２１ａ上において、円形、楕円、矩形等の多角形、その他の任意の形状が、複数、規則的又は不規則的に配置されている状態をいう。なお、図７（ａ）では、円形状の反射膜２３ａの直径が、第１単位光学形状２２１の配列ピッチＰ１（第１斜面２２１ａの配列方向の幅）よりも小さく、第１斜面２２１ａ上に複数の円形状の反射膜２３ａが形成される例を示したが、これに限定されるものでない。例えば、図７（ｂ）に示すように、円形状の反射膜２３ａの直径が、第１単位光学形状２２１の配列ピッチＰ１（第１斜面２２１ａの配列方向の幅）よりも大きく、円形状の反射膜２３ａが、隣接する第１斜面２２１ａ上にまたがるようにして形成されるようにしてもよい。また、図示しないが、円形形状状の部分を抜きとして反射層を形成せず、その周囲を反射層として構成してもよい。また、これらの配置は、図７に示すような規則的な配置に限らず、不規則に配置してもよい。さらに、このような反射層を部分的に形成する場合には、反射層自体が透過性を備えない材料によって構成してもよく、したがって、半透過性の反射スクリーン部に形成する反射層は、誘電体以外の材料により構成してもよい。例えば、アルミニウム、クロム（Ｃｒ）、銀、ニッケル等の光反射性の高い金属を蒸着したり、光反射性の高い金属をスパッタリングしたり、金属箔を転写したりする等により形成してもよい。
【００７５】
なお、実施形態及び変形形態は、適宜組み合わせて用いることもできるが、詳細な説明は省略する。また、本発明は以上説明した各実施形態によって限定されることはない。
【符号の説明】
【００７６】
１        映像表示装置
１０      スクリーン
２０      第１スクリーン部
２１      第１基材層
２２      第１光学形状層
２３      第１反射層
２４      第１樹脂層
３０      第２スクリーン部
３２      第２光学形状層
３３      第２反射層
３４      第２樹脂層
３５      第２基材層
４０      スクリーン部
４２      第３光学形状層
４３      第３反射層
４４      光吸収層
４５      第３基材層
１１１    単位レンズ
２２１    第１単位光学形状
２２１ａ  第１斜面
２２１ｂ  第２斜面
３２１    第２単位光学形状
３２１ａ  第１斜面
３２１ｂ  第２斜面
４２１    第３単位光学形状
４２１ａ  第１斜面
４２１ｂ  第２斜面
【図１】
2020020864.tif 000003
【図２】
2020020864.tif 000004
【図３】
2020020864.tif 000005
【図４】
2020020864.tif 000006
【図５】
2020020864.tif 000007
【図６】
2020020864.tif 000008
【図７】
2020020864.tif 000009